(57)【要約】【課題】斬新な盤面構成によって差別化を図ると共に興趣を高め得る遊技機を提供する。【解決手段】遊技盤１８の前面に配設したレール部材２３により前面領域２０が画成される。遊技盤１８に、前面領域２０を上下に仕切る仕切部４４を備えた仕切りユニット４３が配設され、該仕切部４４の上側にパチンコ球が流下可能な遊技領域２１が画成されると共に、該仕切部４４の下側にパチンコ球が流下不能な非遊技領域２２が画成される。遊技領域２１の最下部に、該遊技領域２１を流下するパチンコ球を機裏側へ排出するアウト口５２,５３が設けられる。仕切りユニット４３には、非遊技領域２２に位置する複数の装飾部材４６,４７,４８が配設される。【選択図】図２
2015173909.tif 000002
【特許請求の範囲】
【請求項１】
遊技盤の前面に配設したレール部材により前面領域が画成され、該前面領域に発射装置から打ち出された遊技球が打出し口を介して打ち込まれるよう構成された遊技機において、
前記レール部材における前記前面領域の最下部を挟んで左右両側に延在すると共に左右の各端部とレール部材との間を遊技球が通過しないように仕切部を遊技盤に設けることで、該前面領域が上下に仕切られ、
前記仕切部の下側に、遊技球が流下しない非遊技領域が画成されると共に、該仕切部より上側に、前記打出し口が連通して該打出し口から遊技球が打ち込まれる遊技領域が画成され、
前記遊技領域の最下部に、該遊技領域を流下する遊技球を機裏側へ排出するアウト口が設けられた
ことを特徴とする遊技機。
【請求項２】
前記仕切部は、遊技球が左右方向に移動可能な球転動面を有し、該球転動面は前記アウト口に向けて下方変位するよう形成される請求項１記載の遊技機。
【請求項３】
前記仕切部の球転動面は、最上部から左側に向かうにつれて下方変位する第１球転動面と、最上部から右側に向かうにつれて下方変位する第２球転動面とを備え、第１球転動面および第２球転動面の最下部位置に対応して前記アウト口が夫々設けられた請求項１または２記載の遊技機。
【請求項４】
前記球転動面の最上部に、前記第１球転動面と第２球転動面との間での遊技球の移動を規制する規制部を設けた請求項３記載の遊技機。
【請求項５】
前記遊技盤に配設されて前記遊技領域の内側に位置する枠状装飾体を備え、前記遊技領域には、前記枠状装飾体の左側に遊技球の第１流下経路が形成されると共に、該枠状装飾体の右側に遊技球の第２流下経路が形成され、前記第１流下経路および第２流下経路の最下部にアウト口が夫々設けられ、
前記規制部は、遊技盤の左右方向の中央から左右何れか一方に偏った位置で、前記枠状装飾体の下縁に近接して設けられた請求項４記載の遊技機。
【請求項６】
前記アウト口は、前記仕切部の端部に近接して位置するように設けられた請求項３〜５の何れか一項に記載の遊技機。
【発明の詳細な説明】
【技術分野】
【０００１】
この発明は、遊技領域を流下するパチンコ球を排出するアウト口を設けた遊技機に関するものである。
【背景技術】
【０００２】
代表的な遊技機であるパチンコ機は、機内にセットされる遊技盤の盤面に配設したレール部材によって画成した遊技領域の略中央位置に枠状の枠状装飾体(所謂センター役物)が配設されて、該枠状装飾体の窓口を介して複数の図柄を変動表示する液晶式やドラム式等の図柄表示装置を後方から臨ませると共に、該遊技盤における枠状装飾体の下方位置に、パチンコ球(遊技球)の入賞により図柄表示装置での図柄変動を開始させる始動入賞装置や大当り時等に開放する特別入賞装置を配設するよう構成されたものが多数提案されている。この種のパチンコ機では、前記遊技領域に打ち出されたパチンコ球が遊技領域内に植設された遊技釘等との接触により跳ね返りながら次第に自重により流下し、該遊技領域を流下する過程で前記始動入賞装置に入賞することにより、所定数の賞球が払い出されると共に、前記図柄表示装置での図柄変動演出に伴うリーチ演出等の各種の遊技演出がなされ、該図柄表示装置に図柄が所定の組合わせで停止することにより所謂大当りが発生し、前記特別入賞装置が開放して多数の賞球を獲得し得るよう構成される。
【０００３】
前記パチンコ機では、遊技盤における遊技領域の最下部にアウト口が設けられ、前記始動入賞装置や特別入賞装置等の入賞装置に入賞しなかったパチンコ球を該アウト口から機裏側に排出するよう構成されている(例えば、特許文献１参照)。
【先行技術文献】
【特許文献】
【０００４】
【特許文献１】特開２０１２−１９１９９１号公報
【発明の概要】
【発明が解決しようとする課題】
【０００５】
従来のパチンコ機では、レール部材で囲われた領域の最下部にアウト口を設けた画一的なデザインとなっており、パチンコ機の差別化を図ることができないばかりか、興趣を十分に高めることができなかった。例えば、パチンコ機では、遊技の興趣を向上するための装飾部材や可動演出装置等の遊技部品が遊技盤に配設されるが、これら遊技部品をアウト口の上側に配置する画一的な盤面構成となっているため、遊技者に対する訴求力を高めることが困難であった。
【０００６】
すなわち本発明は、従来の技術に係る遊技機に内在する前記課題に鑑み、これを好適に解決するべく提案されたものであって、斬新な盤面構成によって差別化を図ると共に興趣を高め得る遊技機を提供することを目的とする。
【課題を解決するための手段】
【０００７】
前記課題を克服し、所期の目的を達成するため、本願の請求項１に係る発明は、
遊技盤(18)の前面に配設したレール部材(23)により前面領域(20)が画成され、該前面領域(20)に発射装置から打ち出された遊技球が打出し口(23c)を介して打ち込まれるよう構成された遊技機において、
前記レール部材(23)における前記前面領域(20)の最下部を挟んで左右両側に延在すると共に左右の各端部とレール部材(23)との間を遊技球が通過しないように仕切部(44)を遊技盤(18)に設けることで、該前面領域(20)が上下に仕切られ、
前記仕切部(44)の下側に、遊技球が流下しない非遊技領域(22)が画成されると共に、該仕切部(44)より上側に、前記打出し口(23c)が連通して該打出し口(23c)から遊技球が打ち込まれる遊技領域(21)が画成され、
前記遊技領域(21)の最下部に、該遊技領域(21)を流下する遊技球を機裏側へ排出するアウト口(52,53)が設けられたことを要旨とする。
【０００８】
請求項１に係る発明によれば、アウト口の下側に遊技球が流下しない非遊技領域を設けるようにしたので、該非遊技領域を利用した斬新な盤面構成を採用することができ、差別化を図ると共に興趣を向上し得る。すなわち、遊技者の訴求力を高めることができる。
【０００９】
請求項２に記載の発明では、前記仕切部(44)は、遊技球が左右方向に移動可能な球転動面(50a,50b,51a,51b)を有し、該球転動面(50a,50b,51a,51b)は前記アウト口(52,53)に向けて下方変位するよう形成されることを要旨とする。
請求項２に係る発明によれば、アウト口に確実に遊技球を移動して排出することができる。
【００１０】
請求項３に記載の発明では、前記仕切部(44)の球転動面は、最上部から左側に向かうにつれて下方変位する第１球転動面(50a)と、最上部から右側に向かうにつれて下方変位する第２球転動面(51a)とを備え、第１球転動面(50a)および第２球転動面(51a)の最下部位置に対応して前記アウト口(52,53)が夫々設けられたことを要旨とする。
請求項３に係る発明によれば、遊技者に利益をもたらすことがなくなった遊技球を、複数のアウト口によって速やかに排出することができる。
【００１１】
請求項４に記載の発明では、前記球転動面(50a,51a)の最上部に、前記第１球転動面(50a)と第２球転動面(51b)との間での遊技球の移動を規制する規制部(55)を設けたことを要旨とする。
請求項４に係る発明によれば、球転動面の最上部で遊技球が停滞することなく遊技球をアウト口に速やかに移動させて排出し得る。
【００１２】
請求項５に記載の発明では、前記遊技盤(18)に配設されて前記遊技領域(21)の内側に位置する枠状装飾体(27)を備え、前記遊技領域(21)には、前記枠状装飾体(27)の左側に遊技球の第１流下経路(21a)が形成されると共に、該枠状装飾体(27)の右側に遊技球の第２流下経路(21b)が形成され、前記第１流下経路(21a)および第２流下経路(21b)の最下部にアウト口(52,53)が夫々設けられ、
前記規制部(55)は、遊技盤(18)の左右方向の中央から左右何れか一方に偏った位置で、前記枠状装飾体(27)の下縁に近接して設けられたことを要旨とする。
請求項５に係る発明によれば、両流下経路を流下する遊技球を対応するアウト口で速やかに排出することができる。
【００１３】
請求項６に記載の発明では、前記アウト口(52,53)は、前記仕切部(44)の端部に近接して位置するように設けられたことを要旨とする。
請求項６に係る発明によれば、仕切部の左右方向に離してアウト口を設けることで、遊技領域を左右に分散して流下する遊技球を効率的に排出し得る。
【発明の効果】
【００１４】
本発明に係る遊技機によれば、斬新な盤面構成によって興趣を向上し得る。
【図面の簡単な説明】
【００１５】
【図１】実施例に係るパチンコ機を示す正面図である。
【図２】実施例に係る遊技盤の正面図である。
【図３】実施例に係る遊技盤の縦断正面図であって、(ａ)は全体を示し、(ｂ)は始動入賞部の配設部分を拡大して示している。
【図４】実施例に係る遊技盤に設置部材を取り付けた状態で、図２のＡ−Ａ線に対応する位置での要部縦断側面図である。
【図５】実施例に係る仕切りユニットを前側から見た概略斜視図である。
【図６】実施例に係る仕切りユニットを前側から見た分解斜視図である。
【図７】実施例に係る仕切りユニットを後側から見た分解斜視図である。
【図８】実施例に係る発光演出装置が配設された設置部材の要部概略斜視図である。
【図９】実施例に係る発光演出装置を前側から見た分解斜視図である。
【図１０】実施例に係る発光演出装置を後側から見た分解斜視図である。
【図１１】実施例に係る仕切りユニットおよび発光演出装置を示す概略斜視図であって、仕切りユニットは後側から見た図であり、発光演出装置は前側から見た図である。
【図１２】実施例に係る不正検出装置を前側から見た分解斜視図である。
【図１３】実施例に係る不正検出装置を後側から見た分解斜視図である。
【図１４】実施例に係る検出センサユニットの回路構成を示すブロック図である。
【図１５】実施例に係る検出センサユニットの検出範囲と第１始動入賞検出センサとの関係を示す説明図であって、(ａ)は正面から見た図であり、(ｂ)は側面から見た図である。
【発明を実施するための形態】
【００１６】
次に、本発明に係る遊技機につき、好適な実施例を挙げて、添付図面を参照して以下に説明する。なお、実施例では、遊技球としてパチンコ球を用いて遊技を行うパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１７】
(パチンコ機１０について)
実施例に係るパチンコ機１０は、図１に示すように、矩形枠状に形成されて遊技店の図示しない設置枠台に固定される固定枠としての外枠１１の開口前面側に、後述する遊技盤１８(図２参照)を着脱可能に保持する本体枠としての中枠１２が開閉および着脱可能に組み付けられると共に、遊技盤１８の後側に、図柄を変動表示可能な表示装置１７が着脱し得るよう配設されている。また、中枠１２の前面側には、遊技盤１８を透視可能に保護する透明部材１３ａを窓部に備えた装飾枠としての前枠１３が開閉可能に組み付けられると共に、該前枠１３の下方にパチンコ球を貯留する下球受け皿１５が開閉可能に組み付けられる。なお、実施例では、前枠１３の下部位置に、パチンコ球を貯留する上球受け皿１４が一体的に組み付けられており、前枠１３の開閉に合わせて上球受け皿１４も一体的に開閉するよう構成される。
【００１８】
前記表示装置１７は、後述する始動入賞口２８ａ,３３ａへのパチンコ球の入賞を契機として演出用の図柄(飾図という場合もある)を表示部１７ａに変動表示させる図柄変動演出を行うよう構成される。また表示装置１７では、図柄変動に関連して実行される各種の表示演出を表示部１７ａに表示し得るようになっている。実施例では、前記表示装置１７として、各種図柄を表示可能な液晶パネルを収容ケースに収容した液晶表示装置が採用されるが、これに限られるものではなく、ドラム式の表示装置やドットマトリックス式の表示装置等の各種図柄を停止および変動表示可能な従来公知の各種の表示装置を採用し得る。
【００１９】
前記前枠１３には、図１に示す如く、下球受け皿１５の右側方に、前記中枠１２に配設された打球発射装置(図示せず)を作動する操作ハンドル１６が設けられる。この操作ハンドル１６は、左回転方向に付勢された操作レバー１６ａを備えており、該操作レバー１６ａを右回転するよう遊技者が回動操作することで打球発射装置が作動されて、前記上球受け皿１４に貯留されたパチンコ球が前記遊技盤１８に向けて発射されるようになっている。ここで、前記操作レバー１６ａの回動量に応じて前記打球発射装置によるパチンコ球の打球力が強弱変化するよう構成されており、遊技者が操作レバー１６ａを操作して回動量を調節することで、前記遊技盤１８に形成された第１流下経路２１ａ(後述)をパチンコ球が流下する所謂「左打ち」と、該遊技盤１８に形成された第２流下経路２１ｂ(後述)をパチンコ球が流下する所謂「右打ち」とを打ち分け得るようになっている。
【００２０】
(遊技盤１８について)
前記遊技盤１８は、アクリルやポリカーボネート等の合成樹脂材等からなる透明な平板状の板部材であって、該遊技盤１８の裏側に、光透過性の合成樹脂材により前方へ開口した箱状に形成されて、前記表示装置１７や各種の可動演出装置６０や発光演出装置６１等が配設される設置部材１９が配設されている。遊技盤１８および設置部材１９は、正面視における外郭形状が略整合する大きさおよび形状に形成されて、遊技盤１８の後面に設置部材１９を取着した状態で、設置部材１９が遊技盤１８の後面を全面的に覆うよう構成されている。なお、遊技盤１８は、木材板の表面に各種絵柄等が描かれた合成樹脂シート等を貼付けて装飾したものであってもよい。
【００２１】
(レール部材２３について)
前記遊技盤１８の前面(盤面)には、図２,図３(ａ)に示す如く、略円形状に湾曲形成されたレール部材２３が配設され、該レール部材２３によって前面領域２０が画成されている。この前面領域２０は、後述する仕切部４４によって、パチンコ球が流下可能な遊技領域２１と、パチンコ球が流下不能な非遊技領域２２とに仕切られている。なお、前記表示装置１７は、設置部材１９の裏側に取り付けられて、後述するように該設置部材１９に設けた開口部１９ａおよび後述する枠状装飾体２７に設けた窓口２７ａを介して遊技盤１８の前側に臨むよう構成される。
【００２２】
前記レール部材２３は、図２,図３(ａ)に示す如く、遊技盤１８の左下部から右上部に至るよう左方向に膨出する円弧状に形成された第１レール２４と、遊技盤１８の右上部および右下部に至るように右方向に膨出する円弧状に形成された第２レール２５と、遊技盤１８の下部および左上部に至るように左方向に膨出する円弧状に形成された第３レール２６とから構成されている。第２レール２５は、第１レール２４の右上端部に連接して遊技盤１８の右上部から下部に亘って配設され、左端縁が右方に凹む円弧状に形成された盤面飾り部材で構成される。また、第３レール２６は、第２レール２５の下端部に連接して遊技盤１８の下部から左上部に亘って配設されて、前記第１レール２４の右方(内側)に離間して位置しており、該第１レール２４および第３レール２６により１個のパチンコ球が通過可能な発射通路２３ａが画成される。ここで、前記第１レール２４の下端部は遊技盤１８の下端に位置して、該第１レール２４の下端部と第３レール２６との間に、前記打球発射装置から発射されたパチンコ球が発射通路２３ａに通入する下方開口２３ｂが画成されている。また、第３レール２６は、前記遊技盤１８の左上部に開放端を臨ませて第１レール２４との間に前記前面領域２０における後述する遊技領域２１に開口する打出し口２３ｃを画成するよう構成される。すなわち、前記打球発射装置から発射されたパチンコ球は、下方開口２３ｂから発射通路２３ａに通入し、該発射通路２３ａを上方に飛翔して、第３レール２６の開放端側の打出し口２３ｃから遊技領域２１内に打ち出されるようになっている。なお、第１レール２４と第３レール２６とで画成される下方開口２３ｂは、図２に示す如く、遊技盤１８の左右方向の中央より左方で、かつ第３レール２６の最下部よりも左方へ偏倚している。
【００２３】
前記遊技盤１８には、前後に貫通する装着口(図４に一部のみ図示)が前記レール部材２３で画成される前記前面領域２０内に複数開設されて、各装着口に対して各種の遊技部品が前側から取り付けられる。本実施例では、遊技盤１８における前面領域２０の下部位置に装着口を介して取り付けられる仕切りユニット４３の仕切部４４によって、該前面領域２０が上側の遊技領域２１と下側の非遊技領域２２とに仕切られるよう構成されている。そこで、先ず遊技盤１８の遊技領域２１に取り付けられる各種の遊技部品について説明し、仕切りユニット４３については後述する。なお、前記装着口の形成数は、遊技盤１８に対して取り付けられる各種の遊技部品の個数や配設位置等により必要に応じて適宜決定される。
【００２４】
実施例の前記遊技盤１８には、前記レール部材２３で囲まれると共に仕切部４４の上側に画成された遊技領域２１の略中央の大部分が開口する第１装着口２９ａに、図２,図３(ａ))に示す如く、前後に開口する窓口２７ａが形成された枠状装飾体２７が取り付けられ、該枠状装飾体２７の窓口２７ａを介して表示装置１７の表示部１７ａが遊技盤１８の前側に臨むよう構成されている。また、遊技盤１８における第１装着口２９ａ(枠状装飾体２７)の下方に開設された第２装着口２９ｂ(図４参照)に、遊技領域２１(後述する第１流下経路２１ａ,第２流下経路２１ｂ)を流下するパチンコ球が入賞可能な第１始動入賞口２８ａを有する始動入賞部２８が設けられた仕切りユニット４３が取り付けられている。更に、遊技盤１８には、第２装着口２９ｂの左上方に開設された第３装着口に、遊技領域２１(第１流下経路２１ａ)を流下するパチンコ球が入賞可能な普通入賞口３０ａが設けられたサイド飾り３０が取り付けられる。また、遊技盤１８における第２装着口２９ｂの右上方の第２流下経路２１ｂに、上側から第４装着口、第５装着口、第６装着口および第７装着口が開設される。そして、第４装着口に、遊技領域２１(第２流下経路２１ｂ)を流下するパチンコ球が通過可能な球通過ゲート３１が取り付けられ、第５装着口に、遊技領域２１(第２流下経路２１ｂ)を流下するパチンコ球が入賞可能な普通入賞口３２ａが設けられた普通入賞部品３２が取り付けられ、第６装着口に、遊技領域２１(第２流下経路２１ｂ)を流下するパチンコ球が入賞可能な第２始動入賞口３３ａを有する始動入賞装置３３が取り付られ、第６装着口に、遊技領域２１(第２流下経路２１ｂ)を流下するパチンコ球が入賞可能な特別入賞口３４ａを有する特別入賞装置３４が取り付けられている。
【００２５】
図２,図３(ａ)に示すように、前記遊技盤１８には、前記遊技領域２１内に多数の遊技釘３５が設けられると共に、前記枠状装飾体２７の左側方に、遊技領域２１を流下するパチンコ球の接触に伴って回転する所謂「風車」とも称される回転案内部材３６が回転自在に配設されており、遊技釘３５や回転案内部材３６との接触によりパチンコ球の流下方向が不規則に変化するよう構成される。また、前記遊技盤１８には、前記枠状装飾体２７の最下部を挟む両側の下縁に沿って、該枠状装飾体２７の最下部の下方に位置する前記始動入賞部２８の第１始動入賞口２８ａに向けて下方傾斜する直線状に連続して前記遊技釘３５が設けられている。なお、以下の説明では、第１流下経路２１ａを左側から第１始動入賞口２８ａへ向けて下方傾斜する直線状に連続した遊技釘群を第１案内連釘３７と指称し、第２流下経路２１ｂを右側から第１始動入賞口２８ａへ向けて下方傾斜する直線状に連続した遊技釘群を第２案内連釘３８と指称するものとする。また、前記各案内連釘３７,３８を構成する遊技釘３５は、適宜位置でパチンコ球が通過可能な隙間３７ａ,３８ａが空くよう設けられており、該案内連釘３７,３８上を移動するパチンコ球が前記普通入賞口３０ａや後述するアウト口５２,５３側へ流下し得るようになっている。更に、本実施例では、第１案内連釘３７の下方に、該第１案内連釘３７との間にパチンコ球が移動可能な間隔で離間して左側から右側へ向けて下方傾斜する直線状に連続した遊技釘群が設けられており、該遊技釘群を第３案内連釘３９と指称する。また、この第３案内連釘３９においても、パチンコ球が通過可能な隙間３９ａが空くよう設けられている。
【００２６】
(枠状装飾体２７について)
前記枠状装飾体２７は、前記第１装着口２９ａの内側に沿って延在する環状に形成された枠状基部(図示せず)と、該枠状基部に設けられて前記遊技盤１８の前面より前方に突出し、前記遊技領域２１と表示装置１７の表示部１７ａを区切る庇状部２７ｂと、該庇状部２ｂの後縁から外方に延出する薄板状の台板部２７ｃとを備える(図３(ａ)参照)。そして、前記枠状基部を第１装着口２９ａに挿入すると共に台板部２７ｃを遊技盤１８の前面に当接した状態で、該台板部２７ｃをネジ等の固定手段で遊技盤１８に固定することで、枠状装飾体２７が遊技盤１８に取り付けられて、該枠状装飾体２７の外側、具体的には庇状部２７ｂとレール部材２３および仕切部４４との間にパチンコ球が流下する遊技領域２１(第１および第２流下経路２１ａ,２１ｂ)が画成されるようになっている。なお、枠状装飾体２７を遊技盤１８に取り付けた状態で、庇状部２７ｂの後端縁から外方に延出する台板部２７ｃが遊技盤１８の前面に沿って延在して、該台板部２７ｃの前側をパチンコ球が通り得るようになっている。
【００２７】
前記枠状装飾体２７の庇状部２７ｂは、枠状装飾体２７(台板部２７ｃ)の左側縁の略中間位置から上縁および右下縁に亘って連続して延在するよう設けられており、前記表示装置１７における表示部１７ａの前面側を横切ってパチンコ球が流下(落下)するのを規制している。また庇状部２７ｂは、最上部位置から左右方向に下方傾斜するよう形成されて、遊技領域２１に打ち出されたパチンコ球が庇状部２７ｂ上で滞ることなく枠状装飾体２７の左側方または右側方へ誘導案内されるよう形成されている。すなわち、枠状装飾体２７の外側に画成される遊技領域２１は、図２,図３(ａ)に示す如く、該枠状装飾体２７の左側方をパチンコ球が流下する第１流下経路２１ａおよび枠状装飾体２７の右側方をパチンコ球が流下する第２流下経路２１ｂに分かれており、前記打球発射装置により遊技領域２１内に向けて発射されたパチンコ球は、到達位置に応じて枠状装飾体２７および第１レール２４、第３レール２６の間に形成される第１流下経路２１ａか、或いは枠状装飾体２７および第２レール２５の間に形成される第２流下経路２１ｂの何れかを流下するよう構成される。そして、実施例に係るパチンコ機１０では、前記第１流下経路２１ａをパチンコ球が流下する場合(左打ちの場合)に、パチンコ球が第２流下経路２１ｂを流下する場合に較べて始動入賞部２８の第１始動入賞口２８ａにパチンコ球が入賞する可能性が高くなるよう構成されると共に、該第２流下経路２１ｂをパチンコ球が流下する場合(右打ちの場合)に、パチンコ球が第１流下経路２１ａを流下する場合に較べて特別入賞装置３４の特別入賞口３４ａや始動入賞装置３３の第２始動入賞口３３ａへパチンコ球が入賞する可能性が高くなるよう構成されている。
【００２８】
前記枠状装飾体２７には、図２,図３(ａ)に示す如く、窓口２７ａの下側(枠状装飾体２７の内周下縁部)に、ステージ４０が配設されると共に、窓口２７ａの左側に、前記第１流下経路２１ａ(遊技領域２１)に開口して該第１流下経路２１ａを流下するパチンコ球を枠状装飾体２７の内側(ステージ４０)に取り込む球導入部４１が設けられ、該球導入部４１がステージ４０に連通するよう構成される。そして、球導入部４１からステージ４０に通出されたパチンコ球は、ステージ４０上を左右に転動した後に、前記各入賞口３０ａ,２８ａが設けられている遊技領域２１に排出される。
【００２９】
前記枠状装飾体２７には、図４に示す如く、前記ステージ４０における球転動面４０ａの後端縁から立上がる後壁４０ｂに開口して該球転動面４０ａからパチンコ球が通入可能な球入口４２ａおよびステージ４０の下側で前側に開口してパチンコ球を遊技領域２１に排出可能な球出口４２ｂを連通する球通路４２が設けられている。前記球出口４２ｂは、図２に示す如く、前記第１始動入賞口２８ａの鉛直上方に位置しており、該球出口４２ｂから放出されるパチンコ球は、第１始動入賞口２８ａに入賞し易くなっている。
【００３０】
(始動入賞装置３３について)
前記始動入賞装置３３の第２始動入賞口３３ａは、開閉部材３３ｂによって開閉するよう構成されており、駆動手段としての始動入賞ソレノイド(図示せず)の駆動に伴って開閉部材３３ｂが第２始動入賞口３３ａを閉鎖する閉鎖位置と開放する開放位置に変位するよう構成されている。すなわち、第２始動入賞口３３ａは、始動入賞ソレノイドを駆動することでパチンコ球の入賞確率を可変し得るよう構成される。なお、開閉部材３３ｂを閉鎖位置から開放位置に変位して第２始動入賞口３３ａを開放する開放条件および開閉部材３３ｂを開放位置から閉鎖位置に変位して第２始動入賞口３３ａを閉鎖する閉鎖条件としては、開閉部材３３ｂが開放位置に変位している継続時間(第２始動入賞口３３ａの開放時間)が挙げられるが、その他の条件を設定してもよい。
【００３１】
前記始動入賞装置３３は、前記第２始動入賞口３３ａに入賞したパチンコ球を検出する入賞検出手段としての第２始動入賞検出センサ(図示せず)を備えている。第２始動入賞検出センサは、前記設置部材１９の裏面に配設された図示しない制御手段に配線接続されており、該第２始動入賞検出センサによるパチンコ球の検出(すなわち第２始動入賞口３３ａへのパチンコ球の入賞)を契機として所定数の賞球が払い出されるようになっている。
【００３２】
(特別入賞装置３４について)
前記特別入賞装置３４の特別入賞口３４ａは、開閉体(開閉部材)３４ｂによって開閉されるよう構成される。開閉体３４ｂは、駆動手段としての特別入賞ソレノイド(図示せず)に連繋されて、該特別入賞ソレノイドを駆動することで、開閉体３４ｂが特別入賞口３４ａへのパチンコ球の入賞を阻止する閉位置と該特別入賞口３４ａへのパチンコ球の入賞を許容する開位置との間を移動するよう構成される。また特別入賞装置３４には、前記特別入賞口３４ａに入賞したパチンコ球を検出する特別入賞検出センサ３４ｃ(図３(ａ)参照)が配設されている。特別入賞検出センサ３４ｃは、前記制御手段に配線接続されており、特別入賞検出センサ３４ｃがパチンコ球を検出すると、検出信号を制御手段に出力し、制御手段の制御下に予め設定された数の賞球が払い出されるようになっている。なお、特別入賞装置３４は、開閉体３４ｂにより特別入賞口３４ａを常には入賞不能状態とするよう構成され、後述する大当り遊技(当り遊技)の発生に伴って特別入賞口３４ａを入賞可能状態とするよう構成されている。
【００３３】
(球通過ゲート３１について)
前記球通過ゲート３１には、該ゲート３１を通過するパチンコ球を検出する球通過検出センサ３１ａ(図３(ａ)参照)が設けられている。この球通過検出センサ３１ａは、前記制御手段に配線接続されており、該球通過検出センサ３１ａから制御手段への球検出信号の入力(すなわちパチンコ球の検出)に伴って普図当り抽選が行われ、該普図当り抽選の結果に応じて前記始動入賞装置３３の始動入賞ソレノイドが駆動制御されて開閉部材３３ｂが開閉動作するようになっている。なお、球通過ゲート３１は、図２,図３(ａ)に示す如く、第２流下経路２１ｂにおいて始動入賞装置３３の第２始動入賞口３３ａより上流側(上側)に位置している。
【００３４】
(普通入賞口３０ａ,３２ａについて)
前記サイド飾り３０には、図２に示す如く、前記第３案内連釘３９の配設位置より下側に、遊技盤１８の盤面より前方に突出する２つの普通入賞部３０ｂが設けられており、各普通入賞部３０ｂに上方に開口する普通入賞口３０ａが夫々設けられている。これに対し、前記普通入賞部品３２には、前記球通過ゲート３１の下方に１つの普通入賞口３２ａが設けられている。パチンコ機１０では、各普通入賞口３０ａ,３２ａに入賞したパチンコ球を検出する入賞検出センサ(図示せず)が前記制御手段に配線接続されており、該入賞検出センサがパチンコ球を検出すると、検出信号を制御手段に出力し、制御手段の制御下に予め設定された数の賞球が払い出されるようになっている。
【００３５】
(仕切りユニット４３について)
実施例の前記遊技盤１８には、前記レール部材２３で囲まれた前面領域２０における最下部より上方で開口する前記第２装着口２９ｂに、該前面領域２０を上下に仕切る仕切部４４を備えた仕切りユニット４３が着脱自在に取り付けられている。この仕切りユニット４３は、図５,図６,図７に示す如く、合成樹脂材により形成された平板状の基体４５と、該基体４５の前面に設けられて前方に突出する仕切部４４と、基体４５における仕切部４４の上側に設けられた始動入賞部２８と、該基体４５における仕切部４４の下側に設けられた装飾部材４６,４７,４８とを備えている。基体４５の裏面には、第２装着口２９ｂの内側に沿って延在する装着壁４９が後方に突出して設けられ、該装着壁４９を第２装着口２９ｂに挿入すると共に基体４５を遊技盤１８の前面に当接した状態で、該基体４５をネジ等の固定手段で遊技盤１８に固定することで、仕切りユニット４３が遊技盤１８に取り付けられる。なお、基体４５は光透過性に構成されて、後述する発光演出装置６１から照射される光によって明輝し得るになっている。また、実施例では基体４５に仕切部４４を一体で形成しているが、該仕切部４４を別体で形成して基体４５にネジ止め固定するようにしてもよい。
【００３６】
(仕切部４４について)
前記仕切部４４は、前記基体４５の前面から前方に突出して左右方向に延在するように設けられ、前記仕切りユニット４３を遊技盤１８に取り付けた状態で、該仕切部４４は前記前面領域２０の最下部を挟んで左右両側に延在すると共に、該仕切部４４の左右の各端部が、図３(ａ)に示す如く、前記レール部材２３(第２レール２５および第３レール２６)の内周面に近接するよう構成される。また、図４に示す如く、仕切部４４の前端部から前記前枠１３の透明部材１３ａまでの離間寸法は、パチンコ球の直径よりも小さくなるよう構成されており、該仕切部４４の前側を通ってパチンコ球が非遊技領域２２内に入り込まないように構成される。すなわち、前記レール部材２３により画成される前記前面領域２０は、仕切部４４によりパチンコ球が相互に移動し得ない上側の遊技領域２１と下側の非遊技領域２２とに仕切られている。仕切部４４で仕切られた遊技領域２１には、前述したように該遊技領域２１の上部に前記打出し口２３ｃが開口しており、該打出し口２３ｃから遊技領域２１に打ち込まれたパチンコ球が、該遊技領域２１を流下するよう構成される。これに対し、非遊技領域２２は、仕切部４４によって遊技領域２１からパチンコ球が流下し得ないように仕切られており、該非遊技領域２２は打球発射装置から発射されたパチンコ球が流下しない領域となっている。
【００３７】
次に、前記仕切部４４のより具体的な構成を説明する。該仕切部４４は、図３,図５に示す如く、前記始動入賞部２８の入賞部２８ａ,５４(後述)を挟んで左側に位置して左右方向に延在する第１仕切部５０および右側に位置して左右方向に延在する第２仕切部５１とから構成される。第１仕切部５０および第２仕切部５１は、略一様な厚みの板状に形成されて、上下方向に大きな幅をとらないようになっている。第１仕切部５０の左端部が前記第３レール２６の内面に近接すると共に、第２仕切部５１の右端部が前記第２レール２５の内面に近接されており、両仕切部５０,５１の上面をパチンコ球が左右方向に移動可能に構成される。すなわち、仕切部５０,５１(仕切部４４)の上面が、パチンコ球が左右方向に移動可能な球転動面となっている。なお、第１仕切部５０の左端部と第３レール２６の内面との関係および第２仕切部５１の右端部と第２レール２５の内面との関係は、パチンコ球が通過しないようになっていればよく、仕切部５０,５１の端部がレール２６,２５の内面に隙間なく当接する状態およびパチンコ球が通過不能な隙間を開けて近接する状態の何れであってもよい。
【００３８】
前記第１仕切部５０の上面は、図５,図６に示す如く、前記仕切部４４の最上部(入賞部２８ａ,５４)から左側に向かうにつれて下方変位する第１球転動面５０ａと、該第１仕切部５０の第３レール２６に近接する左端から右側に向かうにつれて下方変位する第１端部球転動面５０ｂと、第１球転動面５０ａおよび第１端部球転動面５０ｂの間に位置して後方に向けて下方傾斜する第１排出案内面５０ｃとから構成される。そして、前記基体４５における仕切部４４から上側に延出する上基部４５ａに、第１排出案内面５０ｃと対応する位置で前後方向に貫通してパチンコ球を機裏側に排出可能な第１アウト口５２が設けられている。すなわち、第１仕切部５０における第１球転動面５０ａおよび第１端部球転動面５０ｂの最下部位置に対応して第１アウト口５２が開口し、第１球転動面５０ａおよび第１端部球転動面５０ｂに載ったパチンコ球を第１アウト口５２に案内して機裏側に排出し得るよう構成される。また、第１仕切部５０は、図３(ａ)に示す如く、前記第１流下経路２１ａの下縁を構成しており、該第１アウト口５２は第１流下経路２１ａの最下部に位置して、第１流下経路２１ａを流下して前記入賞口２８ａ,３０ａに入賞しなかったパチンコ球を第１アウト口５２から機裏側に排出し得るようになっている。実施例では、第３レール２６に近接する第１仕切部５０(仕切部４４)の左端部に近接して第１アウト口５２が位置するよう構成されており、前記ステージ４０から遊技領域２１に排出されて第１始動入賞口２８ａに入賞しなかったパチンコ球を、遊技盤１８の中央側から左端側に移動して第１アウト口５２から機裏側に排出するようにしている。また第１アウト口５２は、前記サイド飾り３０に設けられて右端部側に位置する普通入賞部３０ｂと、該普通入賞部３０ｂの右側に離間して位置する後述する緩衝部材５７との間の下方に位置している。
【００３９】
前記第１球転動面５０ａは、図３(ａ)に示す如く、左側に向かうにつれて下方傾斜する角度が異なる複数の転動面を接続して全体として左下方傾斜するように形成されており、傾斜角度が急な部分と緩やかな部分を設けることで、該第１球転動面５０ａ上をパチンコ球が移動する様子に変化を与えて興趣を向上し得るようにしてある。また、第１仕切部５０には、前記第１端部球転動面５０ｂの左端部から第３レール２６の内面に沿って上方に延出する第１延出部５０ｄが設けられており、第３レール２６の内面に沿って流下してくるパチンコ球を該第１延出部５０ｄによって第１アウト口５２に速やかに案内し得るよう構成されている。
【００４０】
前記第２仕切部５１の上面は、図５,図６に示す如く、前記仕切部４４の最上部(入賞部２８ａ,５４)から右側に向かうにつれて下方変位する第２球転動面５１ａと、該第２仕切部５１の第２レール２５に近接する右端から左側に向かうにつれて下方変位する第２端部球転動面５１ｂと、第２球転動面５１ａおよび第２端部球転動面５１ｂの間に位置して後方に向けて下方傾斜する第２排出案内面５１ｃとから構成される。そして、前記上基部４５ａに、第２排出案内面５１ｃと対向する位置で前後方向に貫通してパチンコ球を機裏側に排出可能な第２アウト口５３が設けられている。すなわち、第２仕切部５１における第２球転動面５１ａおよび第２端部球転動面５１ｂの最下部位置に対応して第２アウト口５３が開口し、第２球転動面５１ａおよび第２端部球転動面５１ｂに載ったパチンコ球を第２アウト口５３に案内して機裏側に排出し得るよう構成される。また、第２仕切部５１は、図３(ａ)に示す如く、前記第２流下経路２１ｂの下縁を構成しており、該第２アウト口５３は第２流下経路２１ｂの最下部に位置して、第２流下経路２１ｂを流下して前記入賞口３２ａ,３３ａ,３４ａに入賞しなかったパチンコ球を第２アウト口５３から機裏側に排出するようになっている。実施例では、前記第２レール２５に近接する第２仕切部５１(仕切部４４)の右端部に近接して第２アウト口５３が位置するよう構成されており、前記ステージ４０から遊技領域２１に排出されて第１始動入賞口２８ａに入賞しなかったパチンコ球を、遊技盤１８の中央側から右端側に移動して第２アウト口５３から機裏側に排出するようにしている。また第２アウト口５３は、前記特別入賞装置３４(開閉体３４ｂ)の下方に位置している(図２参照)。
【００４１】
前記第２球転動面５１ａは、図３(ａ)に示す如く、右側に向かうにつれて下方傾斜する角度が異なる複数の転動面を接続して全体として右下方傾斜するように形成されており、傾斜角度が急な部分と緩やかな部分を設けることで、該第２球転動面５１ａ上をパチンコ球が移動する様子に変化を与えて興趣を向上し得るようにしてある。また、第２仕切部５１には、前記第２端部球転動面５１ｂの右端部から第２レール２５の内面に沿って上方に延出する第２延出部５１ｄが設けられており、第２レール２５の内面に沿って流下してくるパチンコ球を該第２延出部５１ｄによって第２アウト口５３に速やかに案内し得るよう構成されている。
【００４２】
(始動入賞部２８について)
前記上基部４５ａには、前記仕切部４４の最上部に対応して前記始動入賞部２８が設けられている。この始動入賞部２８は、上基部４５ａの前方および後方に延在する樋状の球通路部５４と、該球通路部５４における上基部４５ａから前方に延出する前樋部５４ａに取り付けられて、該球通路部５４の前端を塞ぐと共に上方に向けて第１始動入賞口(入賞口)２８ａを開口するように形成する前飾り部材５５と、第１始動入賞口２８ａに入賞したパチンコ球を検出する第１始動入賞検出センサ(球検出センサ)５６とを備える。始動入賞部２８の第１始動入賞口２８ａは、遊技領域２１内で常に上方へ開口する常時開放タイプの入賞口とされ、該第１始動入賞口２８ａは、前記遊技領域２１を流下するパチンコ球が常時一定の確率で入賞可能に構成される。また第１始動入賞検出センサ５６は、前記制御手段に配線接続されており、該第１始動入賞検出センサ５６によるパチンコ球の検出(すなわち第１始動入賞口２８ａへのパチンコ球の入賞)を契機として所定数の賞球が払い出されるようになっている。実施例では、始動入賞部２８の球通路部５４および第１始動入賞口２８ａから入賞部が構成される。
【００４３】
前記球通路部５４は、前記前樋部５４ａおよび上基部４５ａから後方に延出する後樋部５４ｂから構成され、第１始動入賞口２８ａに入賞したパチンコ球を機裏側に通出する通路を画成している。この球通路部５４にける両樋部５４ａ,５４ｂの上縁部に、前記第１始動入賞検出センサ５６が着脱自在に取り付けられるセンサ取着部５４ｃが設けられている。第１始動入賞検出センサ５６は、パチンコ球が通過可能な球通過口(球通過検出部)８０を備えた後述する誘導式近接スイッチであって、図４に示す如く、センサ取着部５４ｃに第１始動入賞検出センサ５６を取り付けた状態で、該球通過口８０が遊技盤１８の前面(盤面)より前方に位置するよう構成される。実施例では、第１始動入賞口２８ａの直下において球通過口８０が上下方向に開口する姿勢で第１始動入賞検出センサ５６が配置されており、第１始動入賞口２８ａに入賞したパチンコ球が該球通過口８０を上方から下方へ通過することで、該第１始動入賞検出センサ５６がパチンコ球を検出するよう構成される。
【００４４】
前記球通路部５４の前樋部５４ａに取り付けられる前記前飾り部材５５は、前記仕切部４４の最上部、すなわち前記第１仕切部５０の右端部と第２仕切部５１の左端部との間に位置している。また、前飾り部材５５の下端と仕切部４４との間は、パチンコ球が通過不能に構成されており、該前飾り部材５５が第１仕切部５０(第１球転動面５０ａ)と第２仕切部５１(第２球転動面５１ａ)との間でのパチンコ球の移動を規制するよう構成される。すなわち、実施例では、第１始動入賞口２８ａを画成する部材(前飾り部材５５)が、第１球転動面５０ａと第２球転動面５１ａとの間でのパチンコ球の移動を規制する規制部として機能するよう構成してある。また、球通路部５４における上基部４５ａから後方に延出する後樋部５４ｂが、後述する発光演出装置６１に設けられた入賞球排出部材６８に連通接続されて、第１始動入賞口２８ａに入賞したパチンコ球を球通路部５４を介して入賞球排出部材６８に通出し得るよう構成される。
【００４５】
実施例のパチンコ機１０では、前記始動入賞部２８の第１始動入賞口２８ａが、前記枠状装飾体２７の下縁に近接している。すなわち、第１始動入賞口２８ａは、前記前面領域２０における最下部を形成する第３レール２５の最下部と枠状装飾体２７との間において、枠状装飾体２７側に偏って位置して、該第１始動入賞口２８ａが最上部に設けられる前記仕切部４４と第３レール２５の最下部との離間間隔を大きくして、前記非遊技領域２２を広くし得るようになっている。また、第１始動入賞口２８ａは、図２に示す如く、遊技盤１８の左右方向の中央から左方に偏って位置しており、第１始動入賞口２８ａ(前飾り部材５５)を挟んで左側に位置する第１仕切部５０と右側に位置する第２仕切部５１とを比較すると、第２仕切部５１の左右方向の延在長さが、第１仕切部５０の左右方向の延在長さより長くなるようにしてある。また、左右方向の延在長さが短い第１仕切部５０の左端部側に位置する前記第１アウト口５２の高さ位置より、左右方向の延在長さが長い第２仕切部５１の右端部側に位置する前記第２アウト口５３の高さ位置が低くなっている。
【００４６】
ここで、実施例のパチンコ機１０では、第１および第２始動入賞検出センサ５６によるパチンコ球の検出(第１始動入賞口２８ａまたは第２始動入賞口３３ａへのパチンコ球の入賞)に伴って各種情報が取得され、この取得した情報に基づいて特図当り抽選(当り判定)が行われるよう構成されている。そして、特図当り抽選の結果に基づいて前記表示装置１７において図柄変動演出が実行され、該表示装置１７での図柄変動演出の結果、該表示装置１７の表示部１７ａに所定の組み合わせ(例えば同一飾図の３つ揃い等)で飾図が確定停止表示されることで、遊技者に有利な大当り遊技(当り遊技)が付与され、大当り遊技の発生に伴って特別入賞装置３４の特別入賞口３４ａを所定の開放条件で開放する大当り遊技が行われて、遊技者が賞球を獲得し得る機会が与えられるよう構成されている。なお、前記特別入賞ソレノイドは、前記始動入賞部２８または始動入賞装置３３へのパチンコ球の入賞を契機として特別入賞口３４ａを開放する大当り遊技(当り遊技)が付与される場合に、当りの種類に応じた所定の開閉条件に従って制御手段によって駆動制御される。また、実施例のパチンコ機１０は、大当り遊技の終了後に遊技者に有利な遊技状態として特典遊技状態(変短状態)を付与する機能を備えている。この特典遊技状態としては、前記第２始動入賞口３３ａへのパチンコ球の入賞契機が、当該特典遊技状態が付与されていない状態と較べて増加する入賞率向上状態である。そして、前述したように第２流下経路２１ｂに、球通過ゲート３１、始動入賞装置３３および特別入賞装置３４を配置した実施例の盤面構成では、大当り遊技および特典遊技状態が付与された場合に「右打ち」を実行することで、当該大当り遊技や特典遊技状態に係る特典を効率的に享受させ得るようになっている。
【００４７】
(緩衝部材５７について)
前記上基部４５ａには、図５に示す如く、前記前飾り部材５５を挟む左右両側に、前方に突出する緩衝部材５７が設けられており、遊技領域２１を流下するパチンコ球が該緩衝部材５７と接触することでパチンコ球を減勢するよう構成される。実施例では、前飾り部材５５の左側に２つの緩衝部材５７が左右に離間して設けられると共に、前飾り部材５５の右側に１つの緩衝部材５７が設けられている。また、前飾り部材５５の左側に設けられた各緩衝部材５７は、図２,図３(ａ)に示す如く、前記第１案内連釘３７に設けられた隙間３７ａの下方に位置すると共に、前飾り部材５５の右側に設けられた緩衝部材５７は、前記第２案内連釘３８に設けられた隙間３８ａの下方に位置している。すなわち、各案内連釘３７,３８の隙間３７ａ,３８ａから落下するパチンコ球が、前記仕切部５０,５１(球転動面５０ａ,５１ａ)上に直接衝突しないよう構成してある。なお、前飾り部材５５の左側に設けられた２つの緩衝部材５７,５７の内、左側に位置する緩衝部材５７は前記第３案内連釘３９の右端の下方に位置して、該第３案内連釘３９の右端から落下するパチンコ球が、仕切部５０,５１(球転動面５０ａ,５１ａ)上に直接衝突しないよう構成してある。緩衝部材５７は、上基部４５ａ(基体４５)に一体成形されており、遊技釘等の別部材を用いることなくパチンコ球を減勢したり流下方向を変更可能に構成されている。
【００４８】
前記各緩衝部材５７の上面は、前記前飾り部材５５側に向けて下方傾斜するように形成されて、該緩衝部材５７の上面に落下したパチンコ球を前記仕切部４４の最上部側に案内し得るようになっている。ここで、前記第２案内連釘３８は、前記ステージ４０の球転動面４０ａからパチンコ球が遊技領域２１に排出される可能性のある最も右側の領域より右側に延在しており、ステージ４０から第２案内連釘３８上に落下したパチンコ球は、該第２案内連釘３８の隙間３８ａまたは左端から落下するようになっている。また、前記第２アウト口５３は、第２案内連釘３８より右方に位置しており、第２案内連釘３８の隙間３８ａおよび左端から落下したパチンコ球が直接第２アウト口５３に通入しないように構成されている。
【００４９】
(装飾部材４６,４７,４８について)
前記基体４５における仕切部４４から下側に延出する下基部４５ｂの前面には、パチンコ機１０のモチーフとなるキャラクタと関連する意匠が施された複数の装飾部材４６,４７,４８が配設されており、これらの装飾部材４６,４７,４８は、前記前枠１３の透明部材１３ａを介して前側から視認し得るよう構成される。すなわち、装飾部材４６,４７,４８は、仕切部４４で仕切られた前記非遊技領域２２に位置して、これら装飾部材４６,４７,４８にはパチンコ球が接触しないようになっている。
【００５０】
(第１装飾部材４６について)
前記下基部４５ｂに配設される第１装飾部材４６は、図６,図７に示す如く、略矩形状の前面板４６ａと、該前面板４６ａの外周縁部から後方に突出する側壁４６ｂとから後方に開口した箱状に形成された部材である。前面板４６ａは、前面に複数の意匠部が設けられると共に、光透過性で裏面にダイヤモンドカット等の凹凸による光拡散加工が施されており、後述する発光演出装置６１の発光体６５ａから照射される光によって前面に設けられた意匠部が明輝するよう構成してある。
【００５１】
前記下基部４５ｂの裏面には、前記第１装飾部材４６と対応する位置に、不透明な材料から前後方向に開口する筒状に形成された区画部材５８が配設されている。区画部材５８には、筒状本体５８ａの内側に、複数の仕切板５８ｂによって複数(実施例では５つ)の区画室５８ｃが画成されており、該筒状本体５８ａの前端を下基部４５ｂの裏面に当接した状態で、各区画室５８ｃが、第１装飾部材４６の前面板４６ａの前面に設けられた各意匠部に対応して位置するよう構成される。また各区画室５８ｃには、前記発光演出装置６１の発光体６５ａからの光が個別に照射されるよう構成されており、各区画室５８ｃに対応する発光体６５ａを発光した際に、当該発光体６５ａの光が他の区画室５８ｃに漏れるのを防止するよう構成される。これにより、任意の発光体６５ａを発光することで、第１装飾部材４６の対応する意匠部のみを任意に明輝し得るようになっている。
【００５２】
ここで、前記区画部材５８は、図６に示す如く、前記筒状本体５８ａの前端から各仕切板５８ｂの前端が突出するよう構成されると共に、前記下基部４５ｂには、各仕切板５８ｂと対応する位置に前後方向に貫通する位置決め用長孔４５ｃが形成されている。すなわち、仕切板５８ｂを対応する位置決め用長孔４５ｃに後側から挿通して筒状本体５８ａの前端を下基部４５ｂの裏面に当接することで、前記各区画室５８ｃが、第１装飾部材４６の前面板４６ａの前面に設けられた各意匠部に対応するように位置めされるようになっている。
【００５３】
(第２装飾部材４７について)
前記下基部４５ｂには、前記第１装飾部材４６を挟む両側に第２装飾部材４７が夫々配設されている。図７に示す如く、各第２装飾部材４７の裏面に磁気センサ設置部４７ａが設けられており、該磁気センサ設置部４７ａに磁気センサ５９が配設されている。この磁気センサ５９は、前記制御手段に配線接続されており、前記透明部材１３ａに近づけられた磁石の磁気を検出して、その検出信号を制御手段に入力するよう構成される。そして、制御手段は、磁気センサ５９から入力された検出信号に基づいて、磁石による不正行為が行われていると判断し得るようになっている。図３(ａ)に示す如く、左側の第２装飾部材４７に設けられた磁気センサ５９は、前記複数の普通入賞口３０ａが設けられたサイド飾り３０の下方に近接位置すると共に、右側の第２装飾部材４７に設けられた磁気センサ５９は、前記特別入賞装置３４の下方に近接位置しており、磁石によってパチンコ球を普通入賞口３０ａや特別入賞口３４ａへ不正に入賞させる行為を磁気センサ５９,５９によって検出し得るようになっている。また、左側の第２装飾部材４７は、前記第１アウト口５２の前側において第１仕切部５０(第１球転動面５０ａ、第１端部球転動面５０ｂ、第１排出案内面５０c)の前端から上方に突出して、該第２装飾部材４７が第１アウト口５２の一部に重なるよう構成されている。また、同様に右側の第２装飾部材４７は、前記第２アウト口５３の前側において第２仕切部５１(第２球転動面５１ａ、第２端部球転動面５１ｂ、第２排出案内面５１c)の前端から上方に突出して、該第２装飾部材４７が第２アウト口５３の一部に重なるよう構成されている。実施例では、各アウト口５２,５３の高さ方向の略下半分が第２装飾部材４７と重なり、アウト口５２,５３が目立たないようになっている。
【００５４】
(第３装飾部材４８について)
前記下基部４５ｂには、前記前飾り部材５５の下方において仕切部４４と第１装飾部材４６との間に、第３装飾部材４８が配設されている。なお、実施例では、第３装飾部材４８は、第１装飾部材４６を下基部４５ｂに固定する共通のネジによって下基部４５ｂに固定されている。また、下基部４５ｂには、第３装飾部材４８の配設位置に対応して前後方向に開口する通孔が形成されており、該開口の前側を第３装飾部材４８で塞ぐことで、該第３装飾部材４８の後側には、図４に示す如く、前記球通路部５４と第１装飾部材４６および区画部材５８との間に、仕切りユニット４３の裏側に開口する収容凹部１０１が画成されて、該収容凹部１０１に後述する発光演出装置６１に設けられたセンサ設置部７６の前設置部７７が収容されるように構成される。なお、第３装飾部材４８は不透明に構成されて、収容凹部１０１に収容された前設置部７７(センサ設置部７６)に設置されている後述する不正検出装置８１が前側から視認し得ないようにしてある。
【００５５】
(設置部材１９について)
前記設置部材１９は、前記遊技盤１８の外郭形状より僅かに小さい形状に形成された略矩形状の背面板と、該背面板の外周縁部から前方に突出する画壁部とから前方に開口した箱状に形成されて、該画壁部の開口前端部を遊技盤１８の裏面に当接させた状態で、当該遊技盤１８と設置部材１９とがネジ止め固定される。そして、前記設置部材１９において前記遊技盤１８との間に画成される空間に、動作により演出を行う各種の可動演出装置６０や発光演出装置６１等が設置されて(図４参照)、設置部材１９を基材とする１つのユニットとして扱い得るようになっている。前記設置部材１９の背面板には、前記枠状装飾体２７の窓口２７ａと前後に整列する位置に、略矩形状の開口部１９ａが前後に開口するよう開設される(図４参照)。そして、背面板の裏面に配設した前記表示装置１７の表示部１７ａが、前記開口部１９ａおよび窓口２７ａを介して遊技盤１８の前側に臨むようになっている。
【００５６】
(発光演出装置６１について)
前記設置部材１９に配設される発光演出装置６１は、図８〜図１１に示す如く、カバー部材６２の後側にベース部材６３を組み付けて構成される本体６４の内部に、前面にＬＥＤ等の複数の発光体６５ａ,６５ｂを実装した発光基板６５が収容されて構成される。発光演出装置６１は、前記遊技盤１８の裏側に設置部材１９を取り付けた状態で、図４に示す如く、前記仕切りユニット４３の裏側に本体６４が対向位置して、発光基板６５に設けた発光体６５ａ,６５ｂを発光することで、仕切りユニット４３を発光装飾し得るよう構成されている。また、カバー部材６２の前面には、所要の意匠が施された光透過性の装飾シート６６が取り付けられている。なお、遊技盤１８と設置部材１９とを組み付けた状態で、仕切りユニット４３に設けた前記区画部材５８における筒状本体５８ａおよび仕切板５８ｂの後端が装飾シート６６の前面に当接するよう構成される。
【００５７】
前記本体６４(カバー部材６２およびベース部材６３)、発光基板６５および装飾シート６６には、前記仕切りユニット４３における基体４５に設けられた後方に延出する前記後樋部５４ｂに対応する位置に、前後方向に貫通する樋用通孔６７が形成されており、該樋用通孔６７に後樋部５４ｂの後端部が挿通されている。また、本体６４の裏面に、ベース部材６３の樋用通孔６７に連通する入賞球排出部材６８が配設されている。すなわち、前記第１始動入賞口２８ａに入賞したパチンコ球は、前記球通路部５４を介して入賞球排出部材６８に通出されて、該入賞球排出部材６８内を流下して機外に排出されるよう構成される。なお、実施例では、ベース部材６３に入賞球排出部材６８を配設することで、両部材６３,６８の間に、第１始動入賞口２８ａに入賞したパチンコ球を流下させる排出路が画成される。また、入賞球排出部材６８とベース部材６３とで画成される排出路は、左右に蛇行するよう形成されて、該排出路を流下するパチンコ球を減勢し得るようになっている。
【００５８】
前記カバー部材６２の裏面には、図１０に示す如く、前記樋用通孔６７を挟む左右両側に磁気センサ設置部６２ｃが夫々設けられており、該磁気センサ設置部６２ｃに磁気センサ１０２が配設されている。この磁気センサ１０２は、前記制御手段に配線接続されており、前記透明部材１３ａに近づけられた磁石の磁気を検出して、その検出信号を制御手段に入力するよう構成される。そして、制御手段は、磁気センサ１０２から入力された検出信号に基づいて、磁石による不正行為が行われていると判断し得るようになっている。カバー部材６２に設けられた左右の磁気センサ１０２,１０２は、前記始動入賞部(第１始動入賞口２８ａ)に近接位置しており、磁石によってパチンコ球を第１始動入賞口２８ａへ不正に入賞させる行為を磁気センサ１０２,１０２によって検出し得るようになっている。
【００５９】
図９に示す如く、前記カバー部材６２における前記第１アウト口５２と対応する位置に前後方向に貫通する第１アウト用貫通孔６２ａが形成されると共に、該カバー部材６２には、第１アウト用貫通孔６２ａを囲繞して前方に突出する筒状部６９が設けられており、該筒状部６９を介して第１アウト口５２と第１アウト用貫通孔６２ａとが連通するよう接続される。また、カバー部材６２の裏面に、第１アウト用貫通孔６２ａに連通する第１アウト球排出部材７０が配設されている。すなわち、前記第１アウト口５２に通入したパチンコ球は、前記筒状部６９を介して第１アウト球排出部材７０に通出されて、該第１アウト球排出部材７０内を流下して機外に排出されるよう構成される。なお、実施例では、カバー部材６２に第１アウト球排出部材７０を配設することで、両部材６２,７０の間に、第１アウト口５２に通入したパチンコ球を流下させる排出路が上下方向に延在するように画成されると共に、該排出路がカバー部材６２の下端部において下方に開口するようになっている。また、該排出路を画成する第１アウト球排出部材７０およびカバー部材６２の対向面の夫々に、パチンコ球の流下方向と交差する方向(左右方向)に延在して排出路内に突出する複数の突条７１(図９または図１０参照)が上下方向に離間して設けられており、排出路を流下するパチンコ球が各突条７１に接触することで減勢し得るようになっている。なお、第１アウト球排出部材７０の突条７１と、カバー部材６２の突条７１とは上下方向にズレて設けられている。前記装飾シート６６には、カバー部材６２の筒状部６９と対応する位置に、該筒状部６９の挿通を許容する切欠部６６ａが設けられている。
【００６０】
図９に示す如く、前記本体６４(カバー部材６２およびベース部材６３)、発光基板６５および装飾シート６６の右端部に、前記特別入賞装置３４に設けられて前記特別入賞口３４ａに入賞したパチンコ球を機裏側に通出する球通路(図示せず)との干渉を防ぐ特別用切欠部７２が夫々形成されている。前記設置部材１９には、前記仕切りユニット４３に設けた第２アウト口５３に対応する位置に、図８に示に示す如く、前記本体６４の右側方において前方に突出する通入用筒状部７３ａを備えた第２アウト球排出部材７３が配設されており、該第２アウト球排出部材７３は第２アウト口５３に通入用筒状部７３ａを介して連通接続される。第２アウト球排出部材７３には、前記本体６４の後方において通入用筒状部７３ａに連通する排出路(図示せず)が上下方向に延在するように画成されると共に、該排出路が設置部材１９の下端部において下方に開口している。すなわち、第２アウト口５３に通入したパチンコ球は、通入用筒状部７３ａを介して第２アウト球排出部材７３の排出路に通出されて、該排出路を流下して機外に排出されるよう構成される。なお、前記装飾シート６６およびベース部材６３には、特別用切欠部７２の下側で前記通入用筒状部７３ａと対応する位置に第２アウト用切欠部７４が夫々形成されており、該第２アウト用切欠部７４を介して通入用筒状部７３ａが本体６４の前方に突出するのを許容するよう構成してある(図８参照)。
【００６１】
(発光構造について)
前記発光演出装置６１の発光基板６５の前面に、図９に示す如く、前方に向けて光を照射するＬＥＤ等の複数の第１発光体６５ａおよび第２発光体６５ｂが実装されている。また、前記カバー部材６２における発光基板６５に設けた各第１発光体６５ａと前後に整列する位置に、該カバー部材６２の前側および後側に延出する棒状の導光部７５が夫々設けられており、第１発光体６５ａからの光を導光部７５に個別に照射し得るよう構成されている。また、前記装飾シート６６には、各導光部７５と前後に整列する位置に、前後に貫通する通孔６６ｂが穿設されており、カバー部材６２の前面に装飾シート６６を配設した状態で、各通孔６６ｂから導光部７５が装飾シート６６の前方に突出するよう構成される(図８,図１１参照)。
【００６２】
前記第１発光体６５ａおよび導光部７５は、前記仕切りユニット４３に設けた区画部材５８の各区画室５８ｃに対応する位置に複数ずつ設けられており、遊技盤１８の裏側に設置部材１９を取り付けた状態で、各区画室５８ｃ内に対応する導光部７５が複数個づつ臨むよう構成される(図４参照)。すなわち、第１発光体６５ａを発光することで、導光部７５を介して前記第１装飾部材４６の各意匠部を効率的に明輝し得るよう構成される。なお、区画部材５８において各区画室５８ｃを画成する壁(筒状本体５８ａ,仕切板５８ｂ)の後端が、対応する導光部７５を囲繞するように装飾シート６６の前面に当接して、導光部７５から照射される光が他の区画室５８ｃに漏れないようになっている。
【００６３】
前記発光基板６５に設けられた第２発光体６５ｂは、前記仕切りユニット４３における上基部４５ａに対応する位置に設けられており、第２発光体６５ｂを発光することで、該上基部４５ａを明輝し得るよう構成される。なお、前記カバー部材６２には、発光基板６５における樋用通孔６７の右側に設けられた各第２発光体６５ｂと前後に整列する位置に、光拡散部６２ｂが夫々設けられており、第２発光体６５ｂから照射された光を対応する光拡散部６２ｂで拡散することで、上基部４５ａにおける前記前飾り部材５５(第１始動入賞口２８ａ)の右側に位置する領域を広範囲に明輝させ得るよう構成される。
【００６４】
(センサ設置部７６について)
前記発光演出装置６１の本体６４には、前記始動入賞部２８の後樋部５４ｂに対応して形成された前記樋用通孔６７の形成位置に近接する下側に、センサ設置部７６が設けられており、該センサ設置部７６に、後述する不正検出装置８１が着脱自在に装着されるよう構成される。センサ設置部７６は、図９,図１０に示す如く、前記カバー部材６２に設けられて前方に突出し、後方に開口する前収容室７７ａが画成された前設置部７７と、前記ベース部材６３に設けられて後方に突出し、前方に開口する後収容室７８ａが画成された後設置部７８とから構成される。そして、図４に示す如く、不正検出装置８１の前部を前収容室７７ａに収容した状態で、該不正検出装置８１の後部を後収容室７８ａに収容するようにカバー部材６２とベース部材６３とを組み付けることで、該不正検出装置８１は全体が収容室７７ａ,７８ａに収容された状態で位置決め保持されるようになっている。
【００６５】
前記センサ設置部７６は、図８に示す如く、前記発光演出装置６１を設置部材１９に配設した状態で、該センサ設置部７６における前設置部７７が設置部材１９の前端から前方に突出する。そして、前記遊技盤１８の裏面に設置部材１９を取り付けることで、該前設置部７７が、遊技盤１８に配設されている前記仕切りユニット４３に画成した前記収容凹部１０１に収容されて、前記不正検出装置８１が前記第１始動入賞検出センサ５６の下側に近接位置するよう構成される(図３(ｂ),図４参照)。すなわち、不正検出装置８１は、前記仕切部４４により画成される非遊技領域２２に配置されるようになっている。
【００６６】
前記前設置部７７における前収容室７７ａを画成する上下の壁部には、図１０に示す如く、左右方向の中央部に、外側に向けて凹む凹溝７７ｂ,７７ｂが前後方向に延在するように形成されており、前記不正検出装置８１が備える後述の検出用金属球８３が前設置部７７と干渉することなく前収容室７７ａに不正検出装置８１を収容し得るようになっている。また、前記後設置部７８には、上方および右方に開口する配線用通孔７８ｂが形成されており、該配線用通孔７８ｂを通して不正検出装置８１に接続する配線が後収容室７８ａから外部に引き出されるよう構成してある。なお、前記本体６４に収容される前記発光基板６５には前設置部７７および後設置部７７の間に、不正検出装置８１の挿通を許容する前後に貫通するセンサ通孔６５ｃが形成されている。また前記装飾シート６６に、前設置部７７の前方への挿通を許容するセンサ通孔６６ｃが形成されている。
【００６７】
(電波による不正行為について)
ここで、前述した２つの始動入賞検出センサ５６や特別入賞検出センサ３４ｃは、いわゆる誘導式近接スイッチであって、実施例のパチンコ機１０では、何れも同一のセンサ(以後、これらセンサ５６,３４ｃを単に球検出センサＤという場合がある)が採用されている。球検出センサＤは、発振回路等を備えたセンサ本体７９とコイルが設けられてパチンコ球が通過可能な球通過口(球通過検出部)８０とを基本構成としている(図３(ｂ),図４参照)。球検出センサＤは、パチンコ球を検出していない状態(パチンコ球が球通過口８０を通過していない状態)では、発振回路が発振して、高レベルの信号(以下、ハイレベル信号という)を出力するように設定されている。一方、球検出センサＤは、パチンコ球を検出している状態(パチンコ球が球通過口８０を通過している間)では、発振回路の発振が停止または減衰して、低レベルの信号(以下、ローレベル信号という)を出力するように設定されている。そして、制御手段は、球検出センサＤからの出力信号がハイレベル信号からローレベル信号に切り換わったときにパチンコ球を１カウントして賞球を払い出するよう構成される。
【００６８】
ところが、この球検出センサＤに電波を放射して、該球検出センサＤの出力信号を強制的に変更する不正行為(以下、不正電波行為という)が行われることがある。一般的に、この不正電波行為は、不正行為者が遊技盤１８の斜め下方に電波発生器を隠し持ち、始動入賞装置２８,３３や特別入賞装置３４等が設けられる遊技盤１８の下部へ向けて電波を電波発生器から放射して行われる。この電波発生器から放射される電波を、パチンコ球が球通過口８０を通過する間に球検出センサＤが浴びると、該球検出センサＤは、断続的な発振があったと誤検出してしまう。その結果、球検出センサＤは、ローレベル信号およびハイレベル信号を繰り返し出力し、前記制御手段は、ハイレベル信号からローレベル信号に切り換わる度にパチンコ球をカウントすることとなる。そして、制御手段は、１個のパチンコ球が球通過口８０を通過したのにも拘わらず、複数個分のカウントをして、多くの賞球を払い出したり、特図当り抽選が行われてしまう虞がある。そこで、実施例のパチンコ機１０では、このような不正電波行為を検出するべく、前記センサ設置部７６に不正検出装置８１(不正行為検出手段)が設置されている。
【００６９】
(不正検出装置８１について)
図１２に示すように、前記不正検出装置８１は、検出センサユニット(検出部)８２と、検出用金属球(金属球)８３と、これら検出センサユニット８２および検出用金属球８３を収容したケース体８４とから基本的に構成されている。前記検出センサユニット８２は、矩形状のセンサ装置本体８５と、センサ装置本体８５の厚み方向に貫通する検出口８６とから基本的に構成され、実施例では、前述した始動入賞装置２８,３３や特別入賞装置３４等に設けられる球検出センサＤと同一のものが採用されている。前記検出口８６の開口円の直径は、前記検出用金属球８３の直径より僅かに大きく設定されている。前記検出口８６には、開口縁に沿って検出コイル８７(図１４参照)が巻装されており、該検出コイル８７により検出口８６の周囲に磁界を発生させるようになっている。前記検出口８６は、センサ装置本体８５の長手方向の一方の端部側(センサ設置部７６に設置した状態での前端部側)に偏倚して検出口８６が設けられている(図４参照)。
【００７０】
図１４に示すように、前記センサ装置本体８５には、発振回路Ｆ、発振検出回路Ｇおよび出力回路Ｈが形成されている。前記発振回路Ｆは、検出口８６の磁界中に磁性体(検出用金属球８３)が存在しない状態で、高周波(例えば、１ＭＨｚ)で発振し、前記検出口８６の磁界中に磁性体(検出用金属球８３)が存在すると、該発振回路Ｆは、発振を停止または減衰させるようになっている。実施例の発振回路Ｆは、検出口８６に磁性体(検出用金属球８３)が存在した状態で、発振を停止させるように設定されている。
【００７１】
前記発振検出回路Ｇは、前記発振回路Ｆの発振状態を検出して、当該発振状態に応じた信号を出力するものである。発振検出回路Ｇは、発振回路Ｆの発振を検出すると発振検出信号を前記出力回路Ｈに出力すると共に、発振回路Ｆが発振を停止または減衰(実施例では、発振の停止)を検出すると出力回路Ｈに発振停止検出信号を出力するよう構成される。すなわち、検出センサユニット８２は、磁性体の有無により、発振検出回路Ｇが発振を検出した発振検出状態(第２状態)と、発振検出回路Ｇが発振の停止を検出した発振非検出状態(第１状態)とに状態変化可能に構成されている。
【００７２】
前記出力回路Ｈは、前記発振検出回路Ｇから発振検出信号が入力されると、前記ハイレベル信号を出力し、該発振検出回路Ｇから発振停止検出信号が入力されると、前記ローレベル信号を出力するようになっている。前記出力回路Ｈは、前記制御手段に電気的に接続されており、出力回路Ｈから出力されたハイレベル信号およびローレベル信号は、制御手段に入力される。前記検出用金属球８３は、前記発振回路Ｆの発振を停止させて検出センサユニット８２を発振非検出状態に維持する(検出部を第１状態に維持する)ものである。実施例では、検出用金属球８３として、磁性体であるパチンコ球が用いられている。後述するように、検出用金属球８３は、検出口８６内に位置した状態でケース体８４で保持される。
【００７３】
実施例の不正検出装置８１は、前記不正電波行為が行われていない正常時では、検出用金属球８３により発振回路Ｆの発振が停止されて、検出センサユニット８２は、発振非検出状態(第１状態)に維持される。従って、発振検出回路Ｇは、発振停止検出信号を出力し、出力回路Ｈからローレベル信号が出力されるので、前記制御手段に対して常にローレベル信号が入力される。一方、検出センサユニット８２が発振非検出状態にある場合において、電波発生器から電波が検出センサユニット８２に放射されると、発振回路Ｆは発振を停止しているのにも拘わらず、電波によって断続的な発振が強制的に生起される。従って、不正電波行為が行われると、発振検出回路Ｇが断続的な発振を検出して、発振検出信号および発振停止検出信号を交互に出力するようになっている。これにより、前記出力回路Ｈは、ハイレベル信号およびローレベル信号を制御手段に交互に出力する。実施例に係る不正検出装置８１では、検出センサユニット８２における電波の検出範囲Ｓが、図１５に示す如く、前記検出口８６の開口方向側(図１５では上下方向)が大きくなっている。すなわち、検出センサユニット８２は、検出口８６の開口方向から放射される電波に反応し易い構成となっている。これに対し、図１５に示すように、検出口８６の開口方向と直交する方向では、検出センサユニット８２における電波の検出範囲Ｓが検出口８６の開口方向側に比して極めて小さく、検出口８６の開口方向と直交する方向から放射される電波に反応し難いものとなっている。
【００７４】
(ケース体８４について)
図１２,図１３に示すように、前記ケース体８４は、前記検出口８６の開口方向に対向する第１半体８８および第２半体８９から基本的に構成され、両半体８８,８９を組み付けることで内部に検出センサユニット８２および検出用金属球８３が位置決め保持されるよう構成される。前記第１半体８８は、略矩形状の第１ケース基体９０と該第１ケース基体９０の周縁部から上方へ延出する第１壁部９１とから構成され、上方に開放する箱状に形成されている。後側の第１壁部９１より前側には、左右方向に離間して一対の規制片９２,９２が第１ケース基体９０から上方に突設されており、第１壁部９１および規制片９２,９２により画成される領域に検出センサユニット８２を配置することで、第１壁部９１および規制片９２,９２によって検出センサユニット８２は前後方向および左右方向の位置規制がなされるよう構成される。また、左右の第１壁部９１,９１の内面には、上下方向に延在する一対の位置決めリブ９３,９３が対向して形成されており、該位置決めリブ９３,９３が、検出センサユニット８２におけるセンサ装置本体８５の左右両側面に形成された位置決め凹部８５ａ,８５ａに嵌合することで、第１半体８８に対する検出センサユニット８２の確実な位置決めを行うようになっている。
【００７５】
前記第１半体８８の第１壁部９１には、下端縁から外方に延出する延出部９４が複数箇所に設けられている。また、前側の第１壁部９１および左右の第１壁部９１,９１に、外方に突出する係止突部９５が夫々設けられている。更に、後側の第１壁部９１における一対の規制片９２,９２の間に臨む内面に、内方に突出する山形の案内部９６が設けられている。
【００７６】
図１２,図１３に示すように、前記第２半体８９は、略矩形状の第２ケース基体９７と該第２ケース基体９７の周縁部から下方へ延出する第２壁部９８とから構成され、下方に開放する箱状に形成されている。第２半体８９の下側に開放する開口形状は、前記第１半体８８における第１壁部９１で形成される外形形状と略一致している。前側の第２壁部９８および左右の第２壁部９８,９８には、内外方向に弾性変形可能な弾性係止片９９が夫々形成されている。また、各弾性係止片９９の下端部には、該弾性係止片９９に内外方向に貫通する貫通孔を形成することで係止部９９ａが形成されている。そして、各弾性係止片９９を弾性変形させつつ第１半体８８の第１壁部９１に第２半体８９の第２壁部９８を外嵌し、各係止部９９ａに対応する係止突部９５が係止されることで、第１半体８８および第２半体８９が着脱自在に組み付けられる。第１半体８８および第２半体８９が組み付けられた状態では、前記第２半体８９の第２壁部９８の下面が、第１半体８８の延出部９４の上面に当接すると共に、該第１半体８８および第２半体８９の間に前記検出センサユニット８２を収容可能な空間が画成される。
【００７７】
前記第１ケース基体９０および第２ケース基体９７には、上下方向に貫通する規制孔９０ａ,９７ａが上下に整列して形成されている。規制孔９０ａ,９７ａの内径は、前記検出用金属球８３の直径より小さく設定されており、図４に示す如く、第１半体８８および第２半体８９が組み付けられた状態において、検出センサユニット８２の検出口８６に臨む検出用金属球８３におけるセンサ装置本体８５から上方および下方に突出する部位が、対応する規制孔９０ａ,９７ａの内周縁に当接して位置決めされるようになっている。すなわち、検出口８６内に位置する検出用金属球８３は、第１ケース基体９０および第２ケース基体９７で挟持されて、ガタつくことなく保持される。また、両ケース基体９０,９７で保持された検出用金属球８３は、該検出用金属球８３の中心が検出口８６における開口方向の中央部と略一致するよう位置すると共に、ケース体８４から上下方向に突出している。更に、第２半体８９には、第２ケース基体９７から右側の第２壁部９８にかけて内外方向に開口する配線用通孔１００が形成されており、該配線用通孔１００を通して不正検出装置８１に接続する配線がケース体内から外部に引き出されるよう構成してある。そして、不正検出装置８１を前記センサ設置部７６に取り付けた状態では、ケース体８４に設けた配線用通孔１００と、前記後設置部７８に設けた配線用通孔７８ｂとが整合して、両配線用通孔１００,７８ｂを介して不正検出装置８１に接続する配線が発光演出装置６１の後側に引き出されるようになっている。なお、不正検出装置８１に接続する配線は、前記第１半体８８の後側の第１壁部９１に設けた案内部９６によって配線用通孔１００に向けて引き回されるように案内され、該後側の第１壁部９１と一方(図１２の右側)の規制片９２との間を通って配線用通孔１００から引き出されるよう構成される。
【００７８】
前記ケース体８４は、前記センサ設置部７６の前設置部７７および後設置部７８で画成される収容室７７ａ,７８ａに収容可能な外形寸法に設定されており、該ケース体８４の前部が前収容室７７ａに収容される共に後部が後収容室７８ａに収容された状態で、該ケース体８４の前後、左右、上下の各方向の位置決めがなされるようになっている。また、ケース体８４の前部を前収容室７７ａに収容する際に、前記規制孔９０ａ,９７ａが形成された部位、すなわち前記検出用金属球８３の配設部位が前設置部７７に形成した凹部７７ｂ,７７ｂに対応するよう構成されており、ケース体８４から外方(上方および下方)に突出する検出用金属球８３が前設置部７７の壁に干渉することなくケース体８４の前収容室７７ａに対する収容が許容されるようになっている。なお、ケース体８４の前部が前収容室７７ａに収容された状態で、検出用金属球８３は前収容室７７ａを画成する壁に接触しないよう構成される。また、ケース体８４が収容室７７ａ,７８ａに収容された状態(不正検出装置８１がセンサ設置部７６に取り付けられた状態)で、前収容室７７ａに収容されている検出センサユニット８２における前記検出口８６が設置部材１９の前端から前方に突出するよう構成される。そして、不正検出装置８１がセンサ設置部７６に取り付けられた設置部材１９を遊技盤１８の裏面に取り付けた状態では、図４に示す如く、前設置部７７が前記仕切りユニット４３の収容凹部１０１に収容されて、前記検出センサユニット８２における前収容室７７ａに収容されている検出口８６が遊技盤１８の前面(盤面)より前方に突出するよう構成されている。なお、実施例では検出口８６の一部のみが遊技盤１８の前面(盤面)より前方に突出しているが、全部が遊技盤１８の前面(盤面)より前方に突出するようにしてもよい。
【００７９】
図３(ｂ),図４に示すように、前記不正検出装置８１がセンサ設置部７６に取り付けられた状態では、該不正検出装置８１は、前記仕切りユニット４３に設けられた球通路部５４の下方に近接位置する。すなわち、不正検出装置８１は、球通路部５４に配設されている前記第１始動入賞検出センサ５６(球検出センサＤ)の下側に近接位置して、該不正検出装置８１による検出範囲Ｓに、第１始動入賞検出センサ５６(球検出センサＤ)の球通過口８０が入るよう構成される(図１５参照)。第１始動入賞検出センサ５６(球検出センサＤ)と不正検出装置８１との位置関係を更に具体的に説明すると、前記検出センサユニット(検出部)８２に設けられた検出口８６の開口方向(検出向き)が、第１始動入賞検出センサ５６(球検出センサＤ)の球通過口８０に対するパチンコ球の通過方向(球通過口８０の開口方向)と同じ向きとなる姿勢で、不正検出装置８１が第１始動入賞検出センサ５６(球検出センサＤ)の下側に位置している。すなわち、第１始動入賞検出センサ５６(球検出センサＤ)と検出センサユニット８２とで同一構成の誘導式近接スイッチを用いている実施例では、球通過口８０の開口方向と検出口８６の開口方向とが揃うように、第１始動入賞検出センサ５６(球検出センサＤ)に対して検出センサユニット(検出部)８２が配置される。また、第１始動入賞検出センサ５６(球検出センサＤ)の下面と検出センサユニット(検出部)８２の上面との離間距離が、前記検出範囲Ｓの中心から最外縁までの距離の半分より短くなるように近接配置される。すなわち、第１始動入賞検出センサ５６(球検出センサＤ)と検出センサユニット８２とで同一構成の誘導式近接スイッチを用いている実施例では、球通過口８０の開口方向と検出口８６の開口方向とが揃うように、第１始動入賞検出センサ５６(球検出センサＤ)に対して検出センサユニット(検出部)８２が配置される。なお、前記検出センサユニット(検出部)８２の検出向きとは、当該検出センサユニット８２における電波の検出範囲Ｓが大きくなる方向であって、該検出範囲Ｓが大きくなる方向が、球通過口８０に対するパチンコ球の通過方向に揃うようにして不正検出装置８１が第１始動入賞検出センサ５６(球検出センサＤ)に対して配置されている。また、検出センサユニット(検出部)８２は、該検出センサユニット(検出部)８２と第１始動入賞検出センサ５６(球検出センサＤ)の球通過口８０とが、前後方向と交差する方向で少なくとも一部が重なるような前後位置関係で配置される。実施例では、検出センサユニット(検出部)８２と第１始動入賞検出センサ５６(球検出センサＤ)の球通過口８０とが、前記通過方向で少なくとも一部が重なる前後関係で配置されている。
【００８０】
更に、図１５(ａ)に示すように遊技盤１８の正面視において、第１始動入賞検出センサ５６(球検出センサＤ)の球通過口８０が、不正検出装置８１の不正電波の検出範囲Ｓに入ると共に、図１５(ｂ)に示すように遊技盤１８の側面視において、第１始動入賞検出センサ５６(球検出センサＤ)の球通過口８０が、不正検出装置８１の不正電波の検出範囲Ｓに入るようになっている。これによって、第１始動入賞検出センサ５６(球検出センサＤ)をめがけて遊技盤１８の前側下方から放射される不正電波を、不正検出装置８１によって確実に検出し得るようになっている。ここで、検出センサユニット(検出部)８２と第１始動入賞検出センサ５６(球検出センサＤ)の球通過口８０との前後位置が同じとは、検出センサユニット(検出部)８２の検出口８６の中心位置と球通過口８０の中心位置とが前後方向で一致する状態だけでなく、該球通過口８０の中心位置に対して検出口８６の中心位置がズレて位置する状態も含むものである。すなわち、球通過口８０と検出口８６との中心位置の前後方向のズレが、検出センサユニット(検出部)８２における不正電波の検出範囲Ｓに球通過口８０が収まる範囲であれば、遊技盤１８の前側下方から第１始動入賞検出センサ５６(球検出センサＤ)に向けて放射される不正電波を不正検出装置８１によって確実に検出することができる。
【００８１】
(制御手段の不正判定について)
前述のように、前記制御手段は、正常時(発振非検出状態＝第１状態)には、不正検出装置８１からローレベル信号が入力される。また、不正電波行為により検出ユニットが発振検出状態(第２状態)に状態変化されると、出力回路Ｈからハイレベル信号が入力される。そして、制御手段は、不正検出装置８１からの信号がローレベル信号からハイレベル信号に切り換わったときに、不正電波行為が発生したと判定するようになっている。すなわち、検出用金属球８３により発振非検出状態に維持されている筈の検出センサユニット８２が発振検出状態に状態変化されると、制御手段は不正電波行為を検出する。なお、制御手段は、不正電波行為を検出した場合は、不正行為の発生を、パチンコ機１０が備える表示装置１７、ランプ装置、スピーカ等によって報知するよう構成される。
【００８２】
(実施例の作用)
次に、前述のように構成された実施例に係るパチンコ機１０の作用につき説明する。
【００８３】
前記前枠１３の前面側に設けられた前記操作ハンドル１６の操作レバー１６ａを遊技者が回転操作すると、前記打球発射装置から発射されたパチンコ球が前記遊技盤１８に設けたレール部材２３により画成された下方開口２３ｂから発射通路２３ａに入り、該発射通路２３ａを上方に飛翔して打出し口２３ｃから遊技領域２１内に打ち出される。このとき、前記操作レバー１６ａの回動量に応じてパチンコ球の打ち出し位置が変化し、打ち出し位置に応じて遊技領域２１の第１流下経路２１ａまたは第２流下経路２１ｂをパチンコ球が流下する。
【００８４】
前記第１流下経路２１ａを流下する「左打ち」となるようにパチンコ球が打ち出され、該第１流下経路２１ａを流下するパチンコ球が前記球導入部４１に通入すると、該パチンコ球は前記ステージ４０に通出される。このパチンコ球は、ステージ４０の球転動面４０ａ上を左右に転動した後、球転動面４０ａの前端または前記球通路４２の球出口４２ｂから枠状装飾体２７の下方の遊技領域２１に排出され、このパチンコ球は前記始動入賞部２８の第１始動入賞口２８ａに入賞可能となる。また、球導入部４１に通入することなく第１流下経路２１ａを流下するパチンコ球が前記第１案内連釘３７上に落下すると、該パチンコ球は第１案内連釘３７上を前記始動入賞部２８の第１始動入賞口２８ａに向けて案内されて、該第１始動入賞口２８ａに入賞可能となる。なお、第１案内連釘３８上を流下する途中に隙間３７ａから落下するパチンコ球は、前記仕切りユニット４３の緩衝部材５７に衝突して減勢された後に前記第１仕切部５０上に落下する。そして、第１仕切部５０に落下したパチンコ球は、前記第１球転動面５０ａに沿って左側に移動して、前記第１アウト口５２から機裏側に排出される。また、第１流下経路２１ａを流下するパチンコ球が前記第３案内連釘３９上に落下すると、該パチンコ球は第３案内連釘３９上を右側に向けて案内されて、仕切りユニット４３の左端に位置する緩衝部材５７に衝突して減勢された後に第１仕切部５０上に落下する。なお、第３案内連釘３９上を流下する途中に隙間３９ａから落下するパチンコ球は、前記普通入賞口３０ａに入賞可能となる。そして、緩衝部材５７に衝突して減勢されて第１仕切部５０上に落下したパチンコ球や、普通入賞口３０ａに入賞することなく第１仕切部５０上に落下したパチンコ球は、前記第１球転動面５０ａまたは第１端部球転動面５０ｂに沿って第１アウト口５２に移動して該第１アウト口５２から機裏側に排出される。
【００８５】
前記ステージ４０から遊技領域２１に排出されたパチンコ球や、前記第１案内連釘３７で始動入賞部２８に向けて案内されたパチンコ球が前記第１始動入賞口２８ａに入賞すると、該パチンコ球の入賞を前記第１始動入賞検出センサ５６が検出する。第１始動入賞検出センサ５６から検出信号が前記制御手段に入力されると、該制御手段の制御に基づいて前記表示装置１７での図柄変動演出が開始され、図柄変動演出の結果、表示装置１７の表示部１７ａに所定の図柄組み合わせが表示されると大当りが発生する。大当りが発生すると、表示部１７ａに表示された図柄組み合わせに応じて、前記遊技盤１８に設けられた特別入賞装置３４の特別入賞口３４ａを開閉する開閉体３４ｂが所定条件で開放制御される大当り遊技が実行されると共に、制御手段の制御に基づいて表示装置１７の表示部１７ａにおいて大当り演出が行われる。また、前記発光演出装置６１においても、制御手段の制御に基づいて大当り演出が行われる。
【００８６】
前記パチンコ機１０において、前記大当り遊技が付与されたり特典遊技状態となった場合に、前記操作ハンドル１６の操作レバー１６ａを回転操作して打球発射装置によるパチンコ球の打球力を高め、前記第２流下経路２１ｂに向けてパチンコ球を打ち出す「右打ち」を行うと、該右打ちに際して第２流下経路２１ｂに打ち出されたパチンコ球は、前記枠状装飾体２７と第２レール２５との間の第２流下経路２１ｂを流下する。第２流下経路２１ｂを流下するパチンコ球が前記球通過ゲート３１を通過すると、該パチンコ球の通過を球通過検出センサ３１ａが検出する。球通過検出センサ３１ａから球検出信号が前記制御手段に入力されると、該制御手段は、普図当りか否かを判定する普図当り抽選を実行する。そして、普図当り抽選の結果が当選の場合は、制御手段は前記始動入賞ソレノイドを駆動制御することで前記開閉部材３３ｂを開閉動作する。これにより、始動入賞装置３３の第２始動入賞口３３ａへのパチンコ球の入賞が可能となる。また、大当り遊技が付与されている場合では、第２流下経路２１ｂを流下するパチンコ球が高確率で特別入賞口３４ａに入賞し、多くの賞球が獲得可能となる。そして、「右打ち」した場合に、第２流下経路２１ｂに配置される各種入賞口３２ａ,３３ａ,３４ａに入賞しなかったパチンコ球は、前記第２仕切部５１上に落下し、該第２仕切部５１の前記第２球転動面５１ａまたは第２端部球転動面５１ｂに沿って第２アウト口５３に移動して該第２アウト口５３から機裏側に排出される。
【００８７】
実施例のパチンコ機１０では、図２,図３(ａ)に示す如く、前記始動入賞部２８の下側に配設されて左右方向に延在する前記仕切部４４によって、前記レール部材２３により画成される前面領域２０を、パチンコ球が流下可能な上側の遊技領域２１と、パチンコ球が流下しない下側の非遊技領域２２とに仕切り、第１流下経路２１ａの最下部に第１アウト口５２を設けると共に第２流下経路２１ｂの最下部に第２アウト口５３を設けるようにしている。そして、パチンコ球を機裏側に排出するアウト口５２,５３より下側に設けられた非遊技領域２２に、機前側から視認可能な各種の装飾部材４６,４７,４８を配設し、該装飾部材４６,４７,４８を前記発光演出装置６１によって裏側から発光演出し得るよう構成されている。すなわち、アウト口５２,５３より下側の非遊技領域２２を利用した斬新な盤面構成を採用することができ、他機種との差別化を図ると共に興趣を向上し得る。すなわち、遊技者の訴求力を高めることができ、パチンコ機１０の稼働率を向上することが可能となる。
【００８８】
また、前記仕切部４４は、遊技者が注目する始動入賞部２８を挟んで左側に位置する第１球転動面５０ａおよび右側に位置する第２球転動面５１ａを、相互に離間する方向に向けて下方変位するよう構成したので、該始動入賞部２８の第１始動入賞口２８ａに入賞することなく該球転動面５０ａ,５１ａ上に載ったパチンコ球を対応するアウト口５２,５３に速やかに移動して機裏側に排出することができる。すなわち、遊技者に利益をもたらすことがなくなったパチンコ球を、複数のアウト口５２,５３によって速やかに排出することができる。また、実施例のパチンコ機１０では、前記始動入賞部２８を、遊技盤１８の左右方向の中央から左側に偏って配置することで、図２に示す如く、当該始動入賞部２８の側方における前記始動入賞装置３３および特別入賞装置３４が配置される第２流下経路２１ｂの幅を、対応する第１流下経路２１ａの幅より大きく見せることができる。すなわち、大当り遊技が付与された場合や特典遊技状態となった場合に、遊技者が利益や特典を効率的に享受することができる「右打ち」によってパチンコ球が打ち出される第２流下経路２１ｂに遊技者の注目を集めることができる斬新なデザインとして、訴求力を向上し得る。また、第１アウト口５２より第２アウト口５３の高さ位置を下方にずらすことで、始動入賞装置３３や特別入賞装置３４等の多数の遊技部品が配置される第２流下経路２１ｂの上下方向の領域を第１流下経路２１ａより大きくすることができる。また、始動入賞部２８の下側に大きな非遊技領域２２を確保したもとで、第２流下領域２１ｂにおける部品配置スペースも確保できる。
【００８９】
前記仕切部４４の上側に設けた始動入賞部２８の前飾り部材５５によって、該仕切部４４上に落下したパチンコ球が、第１仕切部５０と第２仕切部５１との間で行き来しないよう構成してあるので、仕切部４４の最上部(球転動面の最上部)でパチンコ球が停滞することなくパチンコ球をアウト口５２,５３に速やかに移動させて排出し得る。また、複数のアウト口５２,５３は、前記流下経路２１ａ,２１ｂの最下部位置に設けてあるので、該流下経路２１ａ,２１ｂを流下するパチンコ球を対応するアウト口５２,５３で速やかに排出することができる。更に、前記仕切部４４における対応するレール２６,２５に接続する左右の端部側にアウト口５２,５３を設けているので、遊技領域２１(第１流下経路２１ａ,第２流下経路２１ｂ)を左右に分散して流下するパチンコ球を効率的に排出することができ、遊技領域２１の最下部でパチンコ球が滞留するのを防ぐことができる。
【００９０】
また、実施例のパチンコ機１０では、図２に示す如く、前記仕切部４４の最上部に始動入賞部２８を配置し、該始動入賞部２８から左右方向に離間するにつれて緩やかに下方変位するように第１仕切部５０および第２仕切部５１を設けたので、始動入賞部２８とレール部材２３(レール２５,２６)との間に大きな非遊技領域２２を確保することができる。従って、該非遊技領域２２を利用してパチンコ球の移動に影響を与えることなく大きな装飾部材４６を配置して遊技演出を向上し得る。
【００９１】
(不正行為時の作用について)
次に、不正電波行為が行われた場合の作用について、説明する。なお、前記不正検出装置８１は、不正電波行為が行われていない正常時では、前記検出用金属球８３により検出センサユニット８２が発振非検出状態に維持されて、出力回路Ｈからローレベル信号が出力されている。従って、正常時においては、制御手段にローレベル信号が入力され続ける。不正電波行為が発生すると、電波により発信検出回路Ｇが断続的な発振を誤検出して、出力回路Ｈは、ローレベル信号およびハイレベル信号を交互に繰り返し出力する。そして、制御手段は、出力回路Ｈからの信号がローレベル信号からハイレベル信号に切り換わったときに、不正電波行為が発生したと判定する。すなわち、実施例の不正検出装置８１によれば、電波により検出センサユニット８２が発振非検出状態から発振検出状態に変化するので、簡単な構造により不正電波行為を極めて容易に検出し得る。また、検出センサユニット８２に電波を検出するための回路等を別途形成することなく、既存の球検出センサＤと同じものを検出センサユニット８２として採用し得るから、不正検出装置８１の製造コストを抑制することができる。
【００９２】
また、実施例のパチンコ機１０では、前記第１始動入賞検出センサ５６(球検出センサＤ)における球通過口８０に対するパチンコ球の通過方向に、検出センサユニット８２における検出口８６の開口方向(検出方向)を揃えると共に、該球通過口８０と検出センサユニット８２とが前後方向と交差する方向で少なくとも一部が重なる前後位置関係となるように球通過口８０と検出センサユニット８２とを近接させたので(図１５参照)、第１始動入賞検出センサ５６(球検出センサＤ)に対する不正電波行為(不正行為)を精度よく検出することができる。また、検出センサユニット８２の配置位置および姿勢によって検出精度が向上するので、不正検出装置８１として許容し得る検出感度の値を低くすることができる。すなわち、コストの低い不正検出装置８１を採用することができ、製造コストの上昇を抑制し得る。
【００９３】
図４に示す如く、前記不正検出装置８１を遊技盤１８の盤面より前側に突出するよう構成したので、遊技盤１８の前側からの不正電波行為(不正行為)をより精度よく検出し得る。また、不正検出装置８１は、遊技盤１８の裏面に取り付けられる設置部材１９に配設してあるので、該不正検出装置８１と、設置部材１９に配設される制御手段とを接続する配線の引き回しが容易である。更に、遊技盤１８に設置部材１９を取り付けるに際し、不正検出装置８１から導出する配線を遊技盤１８との間に挟み込んでしまうおそれもなく、取り付け作業が容易となる。
【００９４】
実施例のパチンコ機１０では、前記発光演出装置６１に設けたセンサ設置部７６に不正検出装置８１を収容したもとで、該センサ設置部７６を仕切りユニット４３に設けた収容凹部１０１に収容するよう構成したので、該不正検出装置８１を好適に保護できる。また、収容凹部１０１の前側を塞ぐ前記第３装飾部材４８を不透明として前側から不正検出装置８１が見えないよう構成してあるので、不正行為者に不正検出装置８１の存在を悟らせないようにすることができる。
【００９５】
実施例のパチンコ機１０では、前記仕切部４４によって仕切られてパチンコ球が流下しない非遊技領域２２に不正検出装置８１を配置するよう構成したので、パチンコ球の移動に影響を与えることなく第１始動入賞検出センサ５６(球検出センサＤ)に近接して不正検出装置８１を配置して検出精度を向上することができる。すなわち、遊技盤１８の前面より前方に球通過口８０が臨むように配置される第１始動入賞検出センサ５６(球検出センサＤ)に近接して不正検出装置８１を配置する場合に、従来のように始動入賞部２８の周囲の全てが遊技領域であると、始動入賞部２８を大型化して不正検出装置８１を一体に組み込むようにしたり、遊技領域で前側に突出するようなセンサ設置部を遊技盤１８に別途設ける必要があり、何れの場合も遊技領域を流下するパチンコ球の移動に影響を与えてしまう。しかしながら、実施例のように非遊技領域２２を画成する仕切部４４の上側に始動入賞部２８を配置する構成であれば、該仕切部４４の下側の非遊技領域２２に不正検出装置８１を配置することで、該不正検出装置８１によって遊技領域２１を流下するパチンコ球の移動に影響を与えることなく、該不正検出装置８１を第１始動入賞検出センサ５６(球検出センサＤ)に近接して配置することができる。
【００９６】
(変更例)
本願は前述した実施例の構成に限定されるものではなく、その他の構成を適宜に採用することができる。
(1) 実施例では、２つのアウト口を設けたが、アウト口は１つであっても３つ以上であってもよい。例えば、実施例の仕切部は左右方向の中央側に最上部を設定し、該最上部から離間するにつれて下方変位するように球転動面を形成したが、仕切部を下側に膨出する弧状に形成し、左右の端部(レールとの近接端部)が最上部となるよう形成し、左右方向の中央側に向けて球転動面が下方変位するよう構成し、該仕切部の最下位置に対応して１つのアウト口を設けてもよい。
(2) 実施例では、仕切部の最上部に位置して第１球転動面と第２球転動面との間でのパチンコ球の移動を規制する規制部として、始動入賞部を構成する前飾り部材を用いたが、始動入賞部を構成する部材とは別の部材を規制部として用いることができる。この場合に、仕切部に規制部を一体に形成したり、別体の規制部を仕切部に着脱自在に取り付ける構成を採用し得る。
(3) 実施例では、非遊技領域に、設置部材に配設した発光演出装置により発光装飾可能な装飾部材を配置したが、該非遊技領域に配置される遊技部品としては、装飾部材に限定されるものでなく、動作により演出を行う可動演出装置を配置することができる。この場合に、可動演出装置は、遊技盤に設けたり、または設置部材に設ける構成を採用し得る。
(4) 実施例では、基体に、始動入賞部、仕切部および装飾部材を配設して、基体を単位としてユニットとして扱い得るよう構成したが、始動入賞部、仕切部および装飾部材を夫々別々に遊技盤に取り付ける構成を採用し得る。例えば、始動入賞部は単独で遊技盤に取り付けるよう構成し、仕切部および装飾部材を基体に配設した仕切りユニットを遊技盤に取り付ける構成を採用することができる。
(5) 実施例では、レール部材を別体で構成された３つのレールから構成したが、１つのレールで構成したものであってもよい。
【００９７】
(6) 実施例では、発振検出状態で出力回路がハイレベル信号を出力し、発振非検出状態で出力回路がローレベル信号を出力する構成とし、ハイレベル信号が出力されたときに制御手段が不正電波行為の発生を判定する構成とした。しかしながら、出力回路が出力する信号としては、発振検出状態および発振非検出状態に対応した２種類の信号であれば、如何なる信号であってもよい。例えば、実施例とは反対に、発振検出状態でローレベル信号を出力し、発振非検出状態でハイレベル信号を出力する構成としてもよい。この場合、ローレベル信号が入力されたときに、制御手段は不正電波行為が発生したと判定する。
(7) 実施例では、検出センサユニット(検出部)が電波により発振非検出状態(第１状態)から発振検出状態(第２状態)に状態変化される構成とした。しかしながら、磁気により検出センサユニット(検出部)が第１状態から第２状態に変化される構成として、磁気によって、始動入賞検出センサ、特別入賞検出センサ、普通入賞検出センサ等を誤作動させる行為を検出し得るようにしてもよい。
(8) 実施例では、金属球としてパチンコ球を採用したが、発振回路の発振を停止または減衰させ得る磁性体であれば、如何なる金属球であってもよい。また、球体でなく円筒体や円柱体等であってもよい。
(9) 実施例では、不正検出装置を、設置部材に設けたが、仕切りユニットに設けてもよい。また、不正電波行為の対象となる各センサに近接して不正検出装置を夫々設置してもよい。
(10) 実施例では、球通過口が上下方向に開口する姿勢で配設された第１始動入賞検出センサ(球検出センサ)を対象として不正検出装置を配置したが、球通過口が左右方向または前後方向に開口する姿勢で配設された第１始動入賞検出センサ(球検出センサ)を対象とする場合は、検出センサユニットを検出口が対応するように左右方向や前後方向に向く姿勢で配置するようにすればよい。
(11) 遊技機としては、パチンコ機に限られるものではなく、アレンジボール機やパチンコ球を用いたスロットマシン等、その他各種の遊技機であってもよい。
【００９８】
また本願には、以下に示すような技術的思想が含まれている。
〔付記〕
請求項３〜５の何れか一項に記載の遊技機において、
前記左右のアウト口(52,53)の高さ位置が異なるよう構成した。
【符号の説明】
【００９９】
１８ 遊技盤
２０ 前面領域
２１ 遊技領域
２１ａ 第１流下経路
２１ｂ 第２流下経路
２２ 非遊技領域
２３ レール部材
２３ｃ 打出し口
２７ 枠状装飾体
４４ 仕切部
５０ａ 第１球転動面(球転動面)
５０ｂ 第１端部球転動面(球転動面)
５１ａ 第２球転動面(球転動面)
５１ｂ 第２端部球転動面(球転動面)
５２ 第１アウト口(アウト口)
５３ 第２アウト口(アウト口)
５５ 前飾り部材(規制部)
【図１】
2015173909.tif 000003
【図２】
2015173909.tif 000004
【図３】
2015173909.tif 000005
【図４】
2015173909.tif 000006
【図５】
2015173909.tif 000007
【図６】
2015173909.tif 000008
【図７】
2015173909.tif 000009
【図８】
2015173909.tif 000010
【図９】
2015173909.tif 000011
【図１０】
2015173909.tif 000012
【図１１】
2015173909.tif 000013
【図１２】
2015173909.tif 000014
【図１３】
2015173909.tif 000015
【図１４】
2015173909.tif 000016
【図１５】
2015173909.tif 000017